(57)【要約】【課題】外部機器からのレンズ装置に対する設定変更を正確にかつ効率的に行う。【解決手段】レンズ本体２０は外部機器とを無線接続で繋ぐ無線通信手段３５を有し、外部機器であるコンピュータ４０の無線通信手段４１を介して、ズームレンズ２１の制御パラメータの設定変更を可能にする。更に、レンズ本体２０はそれぞれ固有識別情報を有し、この固有識別情報を用いて１台のコンピュータ４０と複数のレンズ本体２０との無線接続を可能とする。【選択図】図１
2008310095.tif 000002
【特許請求の範囲】
【請求項１】
表示手段とスイッチによる設定指示手段と、該設定指示手段による設定指示に従い可動光学部材の駆動制御パラメータの設定変更を行うレンズ装置において、外部機器とを無線で接続する無線通信手段を有し、前記外部機器から前記無線通信手段を介して前記可動光学部材の駆動制御パラメータの設定を変更することを特徴とするレンズシステム。
【請求項２】
前記レンズ装置は個別の固有識別情報を有し、該固有識別情報を基に１台の前記外部機器と複数の前記レンズ装置との間の無線通信を可能とすることを特徴とする請求項１に記載のレンズシステム。
【請求項３】
前記外部機器は無線通信が可能なエリアにある全ての前記レンズ装置を探索し、該探索に基づいて前記外部機器は複数の前記レンズ装置との間の無線通信を行うことを特徴とする請求項１又は２に記載のレンズシステム。
【請求項４】
前記外部機器と前記レンズ装置との間の無線通信を行う際に、前記レンズ装置から設定されている前記駆動制御パラメータの読み出しを行うことを特徴とする請求項１〜３の何れか１つの請求項に記載のレンズシステム。
【請求項５】
前記外部機器は記憶手段を有し、前記レンズ装置から読み込んだ前記駆動制御パラメータを前記記憶手段に前記レンズ装置の固有識別情報と共に記憶することを特徴とする請求項１〜４の何れか１つの請求項に記載のレンズシステム。
【請求項６】
前記外部機器は前記レンズ装置から読み込んだ前記駆動制御パラメータを変更する変更手段を有し、変更した前記駆動制御パラメータを前記レンズ装置に書き戻すことを特徴とする請求項１〜５の何れか１つの請求項に記載のレンズシステム。
【請求項７】
前記外部機器から前記レンズ装置に前記駆動制御パラメータを書き戻す際に、無線通信による前記全レンズ装置に対して一斉に書き換えを行う方式と、個々の前記レンズ装置に順次に書き換えを行う方式とを有することを特徴とする請求項６に記載のレンズシステム。
【請求項８】
前記可動光学部材はズームレンズ、フォーカスレンズ、絞り、エクステンダレンズ、光学防振レンズの少なくとも１つであり、前記外部機器はコンピュータであることを特徴とする請求項１〜７の何れか１つの請求項に記載のレンズシステム。
【請求項９】
前記可動光学部材はズームレンズ、フォーカスレンズ、絞り、エクステンダレンズ、光学防振レンズの少なくとも１つであり、前記外部機器は表示手段とスイッチによる設定指示手段を備えた第２のレンズ装置であることを特徴とする請求項１〜７の何れか１つの請求項に記載のレンズシステム。
【発明の詳細な説明】
【技術分野】
【０００１】
本発明は、複数の指令装置からズームレンズ、フォーカスレンズ、絞り、エクステンダレンズ、光学防振ユニットを駆動、制御し、レンズ装置をテレビカメラに対して着脱可能なレンズシステムに関するものである。
【背景技術】
【０００２】
特許文献１、２には、テレビレンズにおけるズームレンズ、フォーカスレンズ等の可動光学部材の制御システムが示されている。特許文献１では、レンズ本体に設けた表示手段と十字スイッチによる指示手段とから、レンズ本体に対して各種の設定が行えるレンズ装置が開示されている。
【０００３】
レンズ本体に対する各種の設定は、ズームレンズ、フォーカスレンズ、絞り等の可動光学部材の制御駆動特性があり、具体的には最高速度の設定、駆動応答性の設定、駆動分解能の設定、指示入力に対する不感帯の設定、指示入力の変換設定などである。この他に、レンズ本体に付加されたスイッチに対する機能割付けなどができる。また、２台のレンズ装置間を専用ケーブルで接続し、一方から他方に設定内容をコピー可能なレンズ装置が開示されている。
【０００４】
また特許文献２では、コンピュータ等の外部機器を専用ケーブルで接続し、可動光学部材の制御駆動特性を変更可能とするレンズ装置を示している。
【０００５】
これらの設定変更は、スポーツ中継、ドラマ撮影、ニュース番組等の撮影状況に応じて変更したり、カメラマンの好みに応じて変更することで、操作性、運用性の良いレンズ装置とされている。
【０００６】
【特許文献１】特開２００４−２９７５４７号公報
【特許文献２】特開２０００−１１５６２３号公報
【発明の開示】
【発明が解決しようとする課題】
【０００７】
上述の従来技術では、レンズ装置の駆動制御やスイッチ機能に対する設定を行う際には、人手によりレンズ装置ごとに設定する必要がある。特に、１つのスタジオ内に複数台のレンズ装置がある場合に、撮影状況や担当するカメラマンの変更に対応して、スタジオ内のレンズ装置の全てについて、順次に設定を変えてゆく必要があり、時間と労力が必要である。また、人手により１台ずつ行うために、設定間違いが発生する危険があり、更に専用ケーブルを必要とすることがあって、準備に手間取ることがある。
【０００８】
本発明の目的は、上述の問題点を解消し、複数台のレンズ装置に対する設定変更を、撮影状況や担当する操作者の変更に対応して、各レンズ装置毎の設定を無線通信により瞬時に間違いがなく効率的に行い得るレンズシステムを提供することにある。
【課題を解決するための手段】
【０００９】
上記目的を達成するための本発明に係るレンズシステムの技術的特徴は、表示手段とスイッチによる設定指示手段と、該設定指示手段による設定指示に従い可動光学部材の駆動制御パラメータの設定変更を行うレンズ装置において、外部機器とを無線で接続する無線通信手段を有し、前記外部機器から前記無線通信手段を介して前記可動光学部材の駆動制御パラメータの設定を変更することにある。
【発明の効果】
【００１０】
本発明に係るレンズシステムによれば、無線通信手段によりレンズ装置と外部機器に接続が専用ケーブルを用いることなく接続でき、外部機器を操作することでレンズ装置の設定値変更が可能となる。
【発明を実施するための最良の形態】
【００１１】
本発明を図示の実施例に基づいて詳細に説明する。
【００１２】
図１は実施例のブロック回路構成図を示し、概略的にカメラ本体１０と、このカメラ本体１０に着脱自在のレンズ装置であるレンズ本体２０と、外部機器であるコンピュータ４０とから成っている。
【００１３】
カメラ本体１０にはＣＣＤから成る撮像素子１１が設けられ、レンズ本体２０の同一の光軸上には、可動光学部材としてズームレンズ２１及び必要に応じて図示しないフォーカスレンズ、絞り、エクステンダレンズ、光学防振レンズが設けられている。なお本実施例では、主としてズームレンズ２１について説明するが、フォーカスレンズ、絞り、エクステンダレンズ、光学防振レンズであっても、或いはこれらの可動光学部材を併用した場合であっても、その作用効果はほぼ同様である。
【００１４】
ズームレンズ２１には、このズームレンズ２１を駆動するズームモータ２２、位置を検出するポテンショメータ２３が設けられている。ポテンショメータ２３の出力は増幅器２４、Ａ／Ｄ変換器２５を経てＣＰＵ２６に接続され、ＣＰＵ２６の出力はＤ／Ａ変換器２７、増幅器２８を経てズームモータ２２に接続されている。
【００１５】
ＣＰＵ２６には更に、操作者のズームレンズ２１を駆動するために操作するズームリングの操作量を検出するポテンショメータ２９の出力が、増幅器３０、Ａ／Ｄ変換器３１を介して接続されている。更に、ＣＰＵ２６に設定手段３２が内蔵され、ＣＰＵ２６には液晶等の表示手段３３、複数のスイッチによる設定指示手段３４、無線通信手段３５、レンズ固有識別情報を記憶した記憶回路３６が接続されている。
【００１６】
なお、コンピュータ４０は一般的なものであり、本体とキーボード、マウス、ディスプレイ等から構成され、コンピュータ４０にはレンズ本体２０の無線通信手段３５と無線通信を可能とする無線通信手段４１が接続されている。
【００１７】
レンズ本体２０のＤ／Ａ変換器２７は、ＣＰＵ２６からのデジタル値であるズームレンズ駆動信号ａをアナログ値に変換し、増幅器２８はこのアナログ駆動信号ａを電力増幅しズームモータ２２を駆動しズームレンズ２１を作動させる。
【００１８】
また、ポテンショメータ２３の信号は増幅器２４により増幅し、Ａ／Ｄ変換器２５はアナログ電圧をデジタル値に変換し、ＣＰＵ２６はズームレンズ位置信号ｂとして読み込む。なお、位置検出手段としてポテンショメータ２３の代りにエンコーダが使用されることもある。
【００１９】
ポテンショメータ２９はカメラマン等の操作者がズームリングを用いて、ズームリングの操作量に応じた信号を出力し、増幅器３０はこの信号を増幅する。Ａ／Ｄ変換器３１はこのズームレンズ指令信号ｃをデジタル化してＣＰＵ２６に出力する。
【００２０】
表示手段３３と設定指示手段３４とを使用して、レンズ本体２０単体でズームレンズ２１の駆動制御パラメータの設定変更を行う。また、レンズ本体２０の無線通信手段３５は、コンピュータ４０に接続された無線通信手段４１との間で、ズームレンズ２１の各種設定値変更を行うための無線通信を行う。無線化の方式として、無線ＬＡＮ、Bluetooth、Zigbee等の規格化された通信方式を利用することができる。
【００２１】
上述の構成において、操作者はズームリングを動かすと、ズームリングに連結されたポテンショメータ２９は増幅器３０、Ａ／Ｄ変換器３１を通してデジタル化されたズームレンズ指令信号ｃをＣＰＵ２６に送信する。ＣＰＵ２６は後述する処理フローチャート図に従って、ズームレンズ駆動信号ａを出力することにより、ズームモータ２２が駆動されズームレンズ２１が可動する。
【００２２】
ＣＰＵ２６はレンズ本体２０の制御を行い、設定手段３２はコンピュータ４０又は表示手段３３と設定指示手段３４とによるズームレンズ２１の駆動制御パラメータ等の設定指示に対して、実際に設定変更を実行する。
【００２３】
図１の実施例においては、１台のレンズ本体２０と、１台のコンピュータ４０との間を無線通信接続することを示したが、レンズ本体２０は複数台あってもよい。複数台のレンズ本体２０の場合には、コンピュータ４０は個々のレンズが持つ個別の固有識別情報を基に、個々のレンズ本体２０を識別、管理し、個々のレンズ本体２０に対する各種設定値の読み出しや書き換えの指示を実行する。固有識別情報としては、記憶回路３６に記憶した製品名、シリアルナンバ、バージョンナンバを使用したり、個々のレンズ本体２０に対して任意に設定可能とすることができる。
【００２４】
図２はコンピュータ４０での処理フローチャート図である。ステップＳ１００は処理のスタートであり、ステップＳ１０１に移行し、１つのスタジオ内など、無線通信が可能なエリアにある全レンズ本体２０を探索し、探したレンズ本体２０のレンズ固有識別情報を使用して管理する。
【００２５】
コンピュータ４０から特定のレンズ本体２０を指定する際に、認識情報（ＩＤ）を送出するが、認識情報としてレンズ固有識別情報を使用する。ステップＳ１０１の対象レンズ探索ルーチンでは、コンピュータ４０は先ず不特定多数のレンズ本体２０に対し探索コマンドを送出する。レンズ本体２０側は探索コマンドを受信すると、それぞれの記憶回路３６に記憶したレンズ固有識別情報を送出する。
【００２６】
次に、コンピュータ４０はそれぞれのレンズ固有識別情報を受信すると、受信したレンズ本体２０毎に通信確立をしたことを通知するため、認識情報（ＩＤ）と共に、通信確立コマンドを返信する。
【００２７】
これにより、対象レンズ探索ルーチンでの処理が完了し、ステップＳ１０２に移行する。ステップＳ１０２は対象となるレンズ本体２０に対して、順次に各設定値の読み出しを行う設定値読み出しルーチンである。この処理では、先ずコンピュータ４０からステップＳ１０１で通信確立したレンズ本体２０に対して認識情報（ＩＤ）と共に、設定読み出しコマンドを送出する。レンズ本体２０は受信した認識情報（ＩＤ）が自己のものと同じ場合に、指示された設定値を送出する。
【００２８】
その後に、コンピュータ４０はレンズ本体２０から返送される設定値の読み込みを行う。コンピュータ４０はこの一連の処理を通信確立した全てのレンズ本体２０に対して行い、ステップＳ１０２の対象レンズ設定値読み出しルーチンを終了し、ステップＳ１０３に移行する。
【００２９】
ステップＳ１０３はステップＳ１０２で読み出した各レンズ本体２０の設定値を表示手段３３に一覧表示する設定値表示ルーチンであり、表示完了後にステップＳ１０４に移行する。ステップＳ１０４では、コンピュータ４０のキーボードやマウスを使用して、表示手段３３上の表示内容に対してどのような処理を行うかを選択する。表示された設定内容を変更する入力があればステップＳ１０５に移行し、表示された設定内容を個々のレンズ本体２０に書き戻す場合はステップＳ１０６に移行し、処理を終了する場合はステップＳ１０７に移行する。
【００３０】
ステップＳ１０５は設定値変更ルーチンであり、表示されている各設定値をコンピュータ４０により任意の値に変更処理を行い、変更が完了するとステップＳ１０４に戻る。
【００３１】
また、ステップＳ１０６は設定値書き戻しルーチンで、表示又は選択された各設定値をレンズ本体２０に書き戻す処理を行う。この設定値書き戻しルーチンでは、先ずレンズ本体２０に書き戻す対象のレンズ本体２０と設定値項目とを選択し、その後に対象レンズ本体２０の識別情報（ＩＤ）を送出した後に、書き込みコマンドを送出し、続いて各設定値を順次に送出する。レンズ本体２０側では、自己の識別情報（ＩＤ）と書き込みコマンドを受信すると、各設定値を順次に設定してゆく。書き込み対象のレンズ本体２０が複数ある場合には、この一連の処理をレンズ本体２０毎に繰り返す。設定値書き戻しルーチンの処理が完了するとステップＳ１０４に戻り、ステップＳ１０７では終了のための処理を行い、ステップＳ１０８に移行し終了する。
【００３２】
図３はレンズ本体２０側での処理フローチャート図である。ステップＳ２００は処理のスタートであり、ステップＳ２０１に移行する。ステップＳ２０１では、コンピュータ４０から無線通信手段３５、４１を経由して受信されるＩＤ、コマンド、データの読み込みを行い、ステップＳ２０２に移行する。
【００３３】
ステップＳ２０２では、受信ＩＤが自己の固定識別情報と等しいか、或いは全てのレンズ本体２０を指定する全体ＩＤであるか判断し、全てのレンズ本体２０を指定する場合はステップＳ２０３に移行し、そうでない場合はステップＳ２０１に戻る。ステップＳ２０３では、受信したコマンドを判別し、各処理ルーチンに移行する。読み出しコマンドの場合はステップＳ２０４に、書き込みコマンドの場合はステップＳ２０５に、探索コマンドの場合はステップＳ２０６に移行する。
【００３４】
ステップＳ２０４は設定値読み出しルーチンであり、指定された設定項目の設定値を読み出してコンピュータ４０に送出し、完了後にステップＳ２０１に戻る。また、ステップＳ２０５は設定値書き込みルーチンであり、指定された設定項目に対し、指定された設定値をレンズ本体２０の設定手段３２により書き込み及び設定を行う。ステップＳ２０５の設定値書き込みルーチンの完了後にステップＳ２０１に戻る。また、ステップＳ２０６は探索コマンド応答ルーチンであり、コンピュータ４０との接続確立のため、固有識別情報等をコンピュータ４０に送信する。ステップＳ２０６の探索コマンド応答ルーチンの完了後に、ステップＳ２０１に戻る。
【００３５】
表１はレンズ本体２０の記憶手段に記憶されている各設定値の構成例を示す。設定項目を大きく分けると、ズームレンズ関連、フォーカスレンズ関連、絞り関連とがある。この他に図示は省略しているが、スイッチ機能の割当てを変えるスイッチ関連や、その他の設定を行うための区分けがある。
【００３６】
ズームレンズ関連の設定項目はパラメータＰ１〜Ｐ７まであり、パラメータＰ１：速度、Ｐ２：応答性、Ｐ３：再現性、Ｐ４：フィルタ、Ｐ５：ゲイン、Ｐ６：入力特性、Ｐ７：不感帯に割当てられている。
【００３７】
Ｂ０        Ｂ１        Ｂ２
実行エリア  記憶エリア  記憶エリア
ズーム関連          Ｐ１    速度        速度        速度
Ｐ２    応答性      応答性      応答性
Ｐ３    再現性      再現性      再現性
Ｐ４    フィルタ    フィルタ    フィルタ
Ｐ５    ゲイン      ゲイン      ゲイン
Ｐ６    入力特性    入力特性    入力特性
Ｐ７    不感帯      不感帯      不感帯
フォーカス関連      Ｐ８    速度        速度        速度
Ｐ９    応答性      応答性      応答性
Ｐ１０  再現性      再現性      再現性
Ｐ１１  フィルタ    フィルタ    フィルタ
Ｐ１２  ゲイン      ゲイン      ゲイン
Ｐ１３  入力特性    入力特性    入力特性
Ｐ１４  不感帯      不感帯      不感帯
絞り関連            Ｐ１５  速度        速度        速度
Ｐ１６  応答性      応答性      応答性
Ｐ１７  再現性      再現性      再現性
【００３８】
Ｐ１（速度）：ズームレンズの望遠端から広角端、又は広角端から望遠端の最高移動時間を設定する項目。
Ｐ２（応答性）：ステップ的な入力指令を与えた場合の応答性を設定する項目。
Ｐ３（再現性）：指令値に対する停止精度を設定する項目。
Ｐ４（フィルタ）：指示手段からの指令信号をフィルタリング処理により滑らかにする際に設定される項目。
Ｐ５（ゲイン）：ＣＰＵ２６で演算処理してズームレンズ駆動信号ａを作り出す際の乗算係数。
Ｐ６（入力特性）：指示手段からの指令信号を関数変換等使用し、特有な指令信号に変換する際に設定される項目。
Ｐ７（不感帯）：指示手段の不感帯幅を変更する際に設定される項目。
【００３９】
この他にも、表１のＰ８〜Ｐ１７のようにフォーカスレンズ、絞り等の光学可動部材の駆動制御に関する設定項目を設けることもできる。また、この他にエクステンダレンズや光学防振レンズに関する設定項目を設けることもできる。
【００４０】
また、全設定項目を１つのブロックとして、複数のブロックを有している。表１の場合は３つのブロックＢ０〜Ｂ２まで記してある。そして、ブロックＢ０は実際にＣＰＵ２６で可動光学部材の駆動制御に使用される実行エリアである。その他のブロックＢ１、Ｂ２は記憶エリアであり、撮影状況や操作者であるカメラマンの変化に応じて、ブロックＢ０に書き換えることで、全設定項目の設定値を瞬時に切換えることができる。
【００４１】
また、図４は表１で示した各設定値の構成を持つレンズ本体２０により、ズームレンズ駆動を行う場合のＣＰＵ２６による処理フローチャート図である。ステップＳ３００は処理のスタートであり、ステップＳ３０１に移行し、ズームレンズ指令信号ｃを読み込み、ステップＳ３０２に移行する。ステップＳ３０２では不感帯処理を行う。
【００４２】
具体的には、ブロックＢ０、パラメータＰ７の不感帯設定値ｆを読み込み、ズームレンズ指令信号ｃの絶対値が不感帯設定値ｆよりも小さいときは、ズームレンズ指令信号ｃは０とする処理を行う。更に、ズームレンズ指令信号ｃの絶対値が不感帯設定値ｆよりも大きければズームレンズ指令信号ｃをａ−ｆと変更する。次に、ステップＳ３０３に移行し入力特性の変更を行う。具体的にはブロックＢ０、パラメータＰ６の入力特性番号を読み込む。
【００４３】
変換前の入力をＸ、変換後の出力をＹとした場合に、入力特性番号が０の場合は変換を行わないとして、Ｙ＝Ｘの処理となる。また、入力特性番号が１のときはＹ＝Ｘ2、入力特性番号が２のときはＹ＝Ｘ3、入力特性番号が３のときはＹ＝１／Ｘ、入力特性番号が４のときはＹ＝１／Ｘ2というように、設定値に対応した変換式又はテーブルを使用して、入力特性の変更を行う。
【００４４】
次に、ステップＳ３０４に移行しフィルタ処理を実行する。具体的には、ブロックＢ０、パラメータＰ４のフィルタ設定値を読み出し、このフィルタ設定値に対応したフィルタ定数を用いてデジタルフィルタ処理を行い、指令値の加工処理を行う。このように、ステップＳ３０１〜ステップＳ３０４により、ズームレンズ入力指令信号ｃに対する処理を行うことができる。
【００４５】
次にステップＳ３０５で、ステップＳ３０４でのズームレンズ入力指令信号ｃと、ポテンショメータ２３からのズームレンズ位置信号ｂとを読み込み、ズームレンズ駆動信号ａを生成するための演算処理を行う。このためステップＳ３０５では、ブロックＢ０、パラメータＰ１の速度設定値、ブロックＢ０、パラメータＰ２の応答性の設定値、ブロックＢ０、パラメータＰ３の再現性の設定値、ブロックＢ０、パラメータＰ５のゲイン設定値を読み込む。そして、それぞれの設定値に対応した演算定数を使用して演算処理を行い、ズームレンズ駆動信号ａを算出する。その後にステップＳ３０６に移行し、ズームレンズ駆動信号ａを出力しステップＳ３０１に戻る。
【００４６】
この図４のフローチャート図に従い、レンズ本体２０は表１に示す各設定値を使用して、ズームレンズ２１の駆動制御を行うことで、撮影状況やカメラマンの好みに応じた操作性、運用性を実現できるようになる。
【００４７】
図１に示した構成と、図２〜図４に示した処理フローチャート図により、コンピュータ４０とレンズ本体２０間で行う各種設定値の読み出し、変更、書き込みにより専用ケーブルを必要とせず、無線通信で可能となる。更に、１つのスタジオ内にある複数のレンズ本体２０を探索し、表示手段３３上に一覧表示でき、レンズ本体２０毎に必要な項目のみ設定値を変更し、一斉にかつ瞬時に全てのレンズ本体２０に設定値を書き戻すことが可能となる。これにより、複数台のレンズ本体２０に対する設定変更を正確にかつ、効率的に行うことができる。
【００４８】
本実施例においては、コンピュータ４０から複数台のレンズ本体２０に対し、各種設定値の書き込みを行う際に、対象のレンズ本体２０や設定項目に応じて、全レンズ本体２０に対する一斉に書込むことができる。或いは、指定のレンズ本体２０を指定して指定した設定項目を順次に書き換えることもできる。
【００４９】
これにより、例えば１つのスタジオ内で同一の特性が要求される絞りに関連する項目については、全レンズ本体２０に対して同一の設定値による書き換えの指示が行えるようになる。また、カメラマンごとに異なる特性を要求されるズームレンズとフォーカスレンズに関連する項目については、個々のレンズ本体２０毎に設定値を書き換えてゆくことが可能となる。そして、一斉書き込み方式と順次書き換え方式とを上記の関連項目毎に使い分けることで、設定を短い時間で自在に行えることになる。
【００５０】
また本実施例において、各レンズ本体２０から各種設定値をコンピュータ４０に読み込み、レンズ固有識別情報と共にコンピュータ４０側の記憶手段に保管することで、１つのスタジオ内にレンズ設定値の一元管理が可能である。また、コンピュータ４０上でのデータ変更はキーボードやマウスだけでなく、予め設定された設定ファイルを読み込んでも、インタネット経由で他のコンピュータから行っても同様の効果が得られる。
【００５１】
なお、図１で示したコンピュータ４０の代りに、図示しない第２のレンズ本体を使用することもできる。この第２のレンズ本体は図１のレンズ本体２０と同一の構成であり、第２のレンズ本体の表示手段はコンピュータ４０のディスプレイ、第２のレンズ本体の指示手段はコンピュータ４０のキーボードに相当する。
【００５２】
これにより、第２のレンズ本体と複数のレンズ本体２０間とを無線通信手段で接続することが可能になる。更に、第２のレンズ本体の表示手段と指示手段を使用して、その他の複数のレンズ本体２０が持っている設定値情報を表示、編集、書き戻し等の処理の他に、上述の実施例に記載したことが同様に実施できるようになる。
【００５３】
この場合には、コンピュータ４０などの特別な外部機器を必要とせず、スタジオ内にある複数のレンズ本体２０同士を使用することで実施可能となり、実施例に示した効果に加えて、更に利便性が向上する。
【図面の簡単な説明】
【００５４】
【図１】実施例のブロック回路構成図である。
【図２】コンピュータでの処理フローチャート図である。
【図３】レンズ本体での処理フローチャート図である。
【図４】ズームレンズ駆動の処理フローチャート図である。
【符号の説明】
【００５５】
１０  カメラ本体
１１  撮像素子
２０  レンズ本体
２１  ズームレンズ
２２  ズームモータ
２３、２９  ポテンショメータ
２４、２８、３０  増幅器
２５、３１  Ａ／Ｄ変換器
２６  ＣＰＵ
２７  Ｄ／Ａ変換器
３２  設定指示手段
３３  表示手段
３４  設定指示手段
３５、４１  無線通信手段
３６  記憶回路
４０  コンピュータ
【図１】
2008310095.tif 000003
【図２】
2008310095.tif 000004
【図３】
2008310095.tif 000005
【図４】
2008310095.tif 000006